(57)【要約】    【課題】  開閉のために大きな上方スペースを必要とせず、収容したゴミ類の臭気の拡散や塵埃の飛散が生じ難いゴミ類収容器の提供。    【解決手段】  上方開口部１０ａを有する収容部１０と、上方開口部１０ａに沿って移動することにより上方開口部を開閉するスラットシャッター１２と、踏下部１４ｂを有し、踏下部を踏み下げるとスラットシャッターが上方開口部を開き、踏下部が踏み下げられた状態において上方開口部が開いた状態を維持し、踏下部の踏み下げを解除するとスラットシャッターが上方開口部を閉じると共に踏下部が踏み下げ前の位置に復帰するように踏下部とスラットシャッターが連係する。【選択図】      図２
2008127139.tif 000002
【特許請求の範囲】
【請求項１】
上方開口部を有する収容部と、
前記上方開口部に沿って移動することにより上方開口部を開閉し得るように支持された覆蓋部材と、
前記覆蓋部材を開くための踏下部と、
前記踏下部を踏み下げると前記覆蓋部材が上方開口部を開き、踏下部が踏み下げられた状態において上方開口部が開いた状態を維持し、前記踏下部の踏み下げを解除すると前記覆蓋部材が前記上方開口部を閉じると共に踏下部が踏み下げ前の位置に復帰するように前記踏下部と前記覆蓋部材を連係させる連係機構を備えることを特徴とするゴミ類収容器。
【請求項２】
上記覆蓋部材がスラットシャッターであり、そのスラットシャッターの両側縁部を案内するガイドレールが上記上方開口部に沿って設けられている請求項１記載のゴミ類収容器。
【請求項３】
揺動部材と回動部材を有し、
前記揺動部材は、水平状の揺動軸線のまわりに揺動可能に支持され、その揺動軸線よりも前側と後側にそれぞれ上記踏下部と押上部を有し、
前記回動部材は、水平状の回動軸線のまわりに回動可能に支持され、その回動軸線からそれぞれ所定の径方向距離を隔てた位置に被押上部と開閉部を備え、それらの被押上部と開閉部は、前記回動軸線のまわりに所定中心角を隔てて位置し、
上記連係機構は、前記踏下部が踏み下げられて前記押上部が上昇することにより、前記被押上部が押上部によって押し上げられて前記回動部材が回動すると共に前記開閉部が上記覆蓋部材を移動させて上記上方開口部を開き、前記踏下部の踏み下げを解除すると、前記被押上部が降下して前記回動部材が元の位置へ回動すると共に前記開閉部が前記覆蓋部材を元の位置へ移動させて上方開口部を閉じるように前記踏下部と前記覆蓋部材を連係させるものである請求項１又は２記載のゴミ類収容器。
【発明の詳細な説明】
【技術分野】
【０００１】
本発明は、各種のゴミ等の廃棄物をそのまま収容し、或いは、例えばゴミ等の廃棄物に破砕や分解等の処理を施して収容するための収容器であって、踏下部の踏み下げ及びその解除と覆蓋部材による上方開口部の開閉が連動するゴミ類収容器に関する。
【背景技術】
【０００２】
ペダルの踏み下げ及びその解除と蓋の開閉が連動するゴミ箱は、特に生ゴミや汚物入れのように臭気防止や視覚的遮蔽が求められる対象物に用いるために、従来より市販され、広く使用されている。
【０００３】
例えば特開平８−１３３４０９号公報（特許文献１）には、前部にゴミ投入用口を有し、下部にペダルを装備してなる第１の箱体と、第１の箱体上に底部を嵌合させて積み重ねられ、かつ、上部に設けられたゴミ投入用口に対する蓋板を開閉自在に装着してなる第２の箱体を有し、ペダルにより上側の第２の箱体の蓋板を開閉操作することができる分別収集ゴミ箱の発明が記載されている。
【０００４】
これらの従来のペダル開閉式のゴミ箱においてペダルにより開閉する蓋は、基部を中心として回動可能なように支持され、ペダルを踏み下げると押し上げ棒が蓋を押し上げて蓋を上方回動させることによりゴミ箱の上方開口部を開くものであったため、ゴミ箱の上方に比較的大きなスペースを必要とした。そのため、例えば机の下に置いたり、棚等の一部に置いたり組み込んだりするような場合に、蓋を開くスペースをとることができずに使用し得ないことが生じ得た。前記のような２段積み重ねのゴミ箱の場合、必要な垂直方向スペースはより大きくなる。
【０００５】
また、基部を中心とする上下回動により開閉する蓋を備えたゴミ箱の場合、蓋の開閉により比較的強い空気の流れを起こしがちであるため、収容したゴミ類の臭気の拡散や塵埃等の飛散が生じ易いという問題があった。
【特許文献１】特開平８−１３３４０９号公報
【発明の開示】
【発明が解決しようとする課題】
【０００６】
本発明は、従来技術に存した上記のような課題に鑑み行われたものであって、その目的とするところは、開閉のために大きな上方スペースを必要とせず、収容したゴミ類の臭気の拡散や塵埃の飛散が生じ難いゴミ類収容器を提供することにある。
【課題を解決するための手段】
【０００７】
上記目的を達成する本発明のゴミ類収容器は、
上方開口部を有する収容部と、
前記上方開口部に沿って移動することにより上方開口部を開閉し得るように支持された覆蓋部材と、
前記覆蓋部材を開くための踏下部と、
前記踏下部を踏み下げると前記覆蓋部材が上方開口部を開き、踏下部が踏み下げられた状態において上方開口部が開いた状態を維持し、前記踏下部の踏み下げを解除すると前記覆蓋部材が前記上方開口部を閉じると共に踏下部が踏み下げ前の位置に復帰するように前記踏下部と前記覆蓋部材を連係させる連係機構を備えることを特徴とする。
【０００８】
踏下部を踏み下げると覆蓋部材が収容部の上方開口部を開き、踏下部が踏み下げられた状態において上方開口部が開いた状態を維持し、踏下部の踏み下げを解除すると覆蓋部材が上方開口部を閉じると共に踏下部が踏み下げ前の位置に復帰する。
【０００９】
ゴミ類を収容する収容部の上方開口部を開閉する覆蓋部材は、その上方開口部に沿って移動することにより上方開口部を開閉し得るように支持されている。そのため、基部を中心として回動可能に支持された蓋を上方回動させて上方開口部を開く場合と異なり、大きな上方スペースを必要としない。また、覆蓋部材は上方開口部に沿って移動することにより上方開口部を開閉するものであるから、前記のような蓋を上下回動させて開閉する場合と異なり、空気の流れを起こしにくいので、収容したゴミ類の臭気の拡散や塵埃等の飛散が生じ難い。
【００１０】
本発明のゴミ類収容器は、上記覆蓋部材がスラットシャッターであり、そのスラットシャッターの両側縁部を案内するガイドレールが上記上方開口部に沿って設けられているものとすることができる。
【００１１】
また本発明のゴミ類収容器は、揺動部材と回動部材を有し、
前記揺動部材は、水平状の揺動軸線のまわりに揺動可能に支持され、その揺動軸線よりも前側と後側にそれぞれ上記踏下部と押上部を有し、
前記回動部材は、水平状の回動軸線のまわりに回動可能に支持され、その回動軸線からそれぞれ所定の径方向距離を隔てた位置に被押上部と開閉部を備え、それらの被押上部と開閉部は、前記回動軸線のまわりに所定中心角を隔てて位置し、
上記連係機構は、前記踏下部が踏み下げられて前記押上部が上昇することにより、前記被押上部が押上部によって押し上げられて前記回動部材が回動すると共に前記開閉部が上記覆蓋部材を移動させて上記上方開口部を開き、前記踏下部の踏み下げを解除すると、前記被押上部が降下して前記回動部材が元の位置へ回動すると共に前記開閉部が前記覆蓋部材を元の位置へ移動させて上方開口部を閉じるように前記踏下部と前記覆蓋部材を連係させるものであるものとすることができる。
【発明の効果】
【００１２】
本発明のゴミ類収容器においては、踏下部を踏み下げ及び解除と連動する覆蓋部材は、ゴミ類を収容する収容部の上方開口部に沿って移動することにより上方開口部を開閉し得るので、開閉のために大きな上方スペースを必要とせず、使用場所の制約が少ない。また、覆蓋部材は上方開口部に沿って移動することにより上方開口部を開閉するものであるから、空気の流れを起こしにくい。そのため、収容したゴミ類の臭気の拡散や塵埃の飛散が生じ難い。
【発明を実施するための最良の形態】
【００１３】
本発明の実施の形態を、図面を参照しつつ説明する。
【００１４】
図面は何れも本発明の実施の形態の一例としてのゴミ類収容器についてのものであって、図１は閉口状態の斜視図、図２は閉口状態の破砕斜視図、図３は開口状態の斜視図、図４は開口状態の破砕斜視図、図５は概略機構図である。
【００１５】
ゴミ類収容器Ａは、主に、収容箱１０と、スラットシャッター１２（覆蓋部材）と、揺動部材１４と、左右一対の回動部材１６からなり、主に揺動部材１４と左右一対の回動部材１６が連係機構を構成する。
【００１６】
(1)  収容箱１０は、やや縦長の略直方体形状をなし、上方開口部１０ａと、垂直回動軸線のまわりに回動して外方に開く開閉扉１８により開閉する前方開口部１０ｂを備える。収容箱１０内が、上方開口部１０ａを有する収容部２０である。収容部２０の底板２０ａ上に直方体形状の上方開口のゴミ受け箱２２を載置して使用することができる。収容部２０の底板２０ａは収容箱１０を載置する載置面よりもやや上方に位置するよう設けられている。ゴミ受け箱２２は、前方開口部１０ｂを通じて収容部２０に出し入れすることができる。なお、収容部２０は、必ずしも箱状容器状のものの中に形成されるものであることを要せず、種々の家具や装置等の一部として形成されているものでもよい。。また、収容箱１０の形状は直方体形状に限るものではなく、円筒形状やその他の形状を適宜採用し得る。また、収容部２０は側方又は後方等の何れの側に開口するものであってもよい。
【００１７】
収容箱１０の底板２０ａ上の右端寄り、左端寄り及び後端寄りに、それぞれ横長の立板２４を備える。また、収容箱１０内の上部における右端寄り、左端寄り及び後端寄りに、それぞれ立板２４に対応する垂下板２６を備える。各立板２４の一方の面及び各垂下板２６の一方の面は、それぞれ内側を向いており、ゴミ受け箱２２が所定位置から外方に逸脱することを、ゴミ受け箱２２の底部及び上部の各左右側面及び後側面に当接することにより、防ぐものである。
【００１８】
収容箱１０の上方開口部１０ａは、前後方向中間位置から前側に向かって緩やかに下降傾斜している。上方開口部１０ａの前端から上方開口部１０ａの後端を経て収容箱１０の後部の上下中間位置にわたる左右側部に、それぞれガイドレール２８が設けられている。各ガイドレール２８のうち上方開口部１０ａの前端から上方開口部１０ａの後端にわたる部分は、上方開口部１０ａの左右側部に沿って設けられている。
【００１９】
(2)  スラットシャッター１２は、横方向に長い細長形状の多数のスラット１２ａが並列連結してなるものである。スラットシャッター１２は、その左右端部がそれぞれ左右のガイドレール２８に案内されて移動する。このスラットシャッター１２は、前端部がガイドレール２８の前端位置（上方開口部１０ａの前端部）に位置し、後端部が収容箱１０の後上部に位置して上方開口部１０ａを覆蓋する位置と、前端部が上方開口部１０ａの後端部に位置し、後端部がガイドレール２８の下端部（収容箱１０の上下中間位置）に位置して上方開口部１０ａを開口する位置との間で、左右ガイドレール２８により摺動案内されつつ移動し得る。
【００２０】
なお、覆蓋部材は、スラットシャッター１２に限らない。シート状、平板状、シェル若しくは湾曲板状等とすることができる。また、覆蓋部材は、前後方向に移動するものの他、例えば側方に移動して上方開口部１０ａを開閉するものであってもよい。また覆蓋部材は、全体が上方開口部１０ａに沿って移動し、全体又は部分が上方開口部１０ａに続く上方開口部１０ａ以外の位置へ移って上方開口部１０ａを開口し、元の位置へ戻って閉口するものであればよい。シート状の場合、例えばスラットシャッター１２と同様にガイドレール等の案内手段により案内されて開閉するものとすることができ、平板状、シェル若しくは湾曲板状の場合は、上方開口部１０ａよりも下方に設けた回動軸線のまわりに回動することにより開閉するものとすることができる。また、覆蓋部材が、２又は３以上に分割されているものであってもよい。
【００２１】
(3)  揺動部材１４は、左右の前後方向の揺動レバー１４ａの前端部が、左右方向の踏下部１４ｂにより連結されてなり、収容箱１０の底板２０ａの下側において、左右揺動レバー１４ａの前後方向中間位置に設けられた水平状の揺動軸３０のまわりに揺動可能に支持されている。収容箱１０の底板２０ａにおける左右の立板２４の外側には、左右揺動レバー１４ａの後部である押上部１４ｃが上下に通過し得る揺動用開口部３２が設けられている。踏下部１４ｂが上方に位置して揺動部材１４が水平状態にある場合は、押上部１４ｃは揺動用開口部３２の下側に位置し、踏下部１４ｂが下方に位置して揺動部材１４が後方に向かって上方傾斜した状態にある場合は押上部１４ｃは揺動用開口部３２の上方に位置する。揺動軸３０の前後方向位置は、踏下部１４ｂに踏下力が加えられていない無負荷状態において揺動部材１４の後部側が下方に位置する位置である。尤も、揺動軸線の位置はこれに限るものではない。
【００２２】
なお、踏下部１４ｂの位置は一般的にはゴミ類収容部２０の前下方であるが、踏下可能な位置又は好ましくは踏下に適したその他の位置を適宜採用し得る。例えば踏下部１４ｂの位置を側下方とすることもできる。
【００２３】
(4)  一対の回動部材１６は、それぞれ、収容箱１０内の底板２０ａ上の左右側部における各揺動用開口部３２の後側において、水平状の回動軸３４のまわりに回動可能に支持されている。各回動部材１６は、回動軸３４において直交する短腕１６ａと長腕１６ｂを有してなる。
【００２４】
短腕１６ａの端部、すなわち回動軸線から短い径方向距離を隔てた位置に、回動軸３４と平行な回転軸線のまわりに回転可能なように支持された回転輪１６ｃを有する被押上部１６ｄを備える。長腕１６ｂの端部、すなわち回動軸３４から長い径方向距離を隔てた位置に、スラットシャッター１２の左右前端部に設けられた挿通孔に挿通した突起状の開閉部１６ｅを備える。被押上部１６ｄと開閉部１６ｅは、回動軸３４のまわりに９０度中心角を隔てて位置する。各立板２４及び垂下板２６によってゴミ受け箱２２が外方に逸脱することが防がれることにより、各回動部材１６の回動動作がゴミ受け箱２２により阻害されることが防がれる。
【００２５】
各回動部材１６の長腕１６ｂの中間部と、収容箱１０の左右側部のうち前記長腕１６ｂの中間部よりも下方の位置との間に、引張ばね３６が架装されている。各回動部材１６は、それぞれ引張ばね３６により、長腕１６ｂが前方へ回動する向きに付勢されている。すなわち、開閉部１６ｅを介してスラットシャッター１２が上方開口部１０ａを閉じる向きに、回動部材１６が付勢されている。
【００２６】
なお、回動部材を元の位置へ戻す復元力としては、引張ばね、圧縮ばね、ねじりばね等の弾性部材の弾性的復元力、錘の位置エネルギーによる復元力、回動部材や揺動部材の自重等を適宜利用することができる。
【００２７】
(5)  踏下部１４ｂを踏み下げると、揺動部材１４の各押上部１４ｃが揺動用開口部３２の下側から上方に上昇し、各被押上部１６ｄの回転輪１６ｃが押上部１４ｃ上で回転しつつ被押上部１６ｄが押上部１４ｃによって押し上げられる。被押上部１６ｄと押上部１４ｃは、押上部１４ｃ上で回転し得る回転輪１６ｃにおいて接するので、押上部１４ｃによる被押上部１６ｄの押し上げを円滑に行うことができる。
【００２８】
このように被押上部１６ｄが押し上げられることにより、長腕１６ｂの先端の開閉部１６ｅがスラットシャッター１２の挿通孔に挿通した状態で、長腕１６ｂが引張ばね３６を引っ張りつつ後方へ回動する向きに各回動部材１６が回動し、スラットシャッター１２が後方へ移動して収容部２０の上方開口部１０ａを開く。踏下部１４ｂが踏み下げられた状態においては、上方開口部１０ａが開いた状態を維持し、踏下部１４ｂの踏み下げを解除すると、引張ばね３６の引張力により長腕１６ｂが前方へ回動してスラットシャッター１２が上方開口部１０ａを閉じると共に踏下部１４ｂが踏み下げ前の位置に復帰する。長腕１６ｂの先端の開閉部１６ｅは、スラットシャッター１２の挿通孔に対し、挿通の度合いが自由に変化し得る状態であるため、回動部材１６における開閉部１６ｅの軌跡とスラットシャッター１２の挿通孔の軌跡が一致することを要しない。
【００２９】
ゴミ類を収容する収容部２０の上方開口部１０ａを開閉するスラットシャッター１２は、その左右端部が、それぞれ、上方開口部１０ａの左右側部に沿って設けられた左右のガイドレール２８に案内されて、上方開口部１０ａに沿って前後に移動することにより、上方開口部１０ａを開閉する。そのため、開閉のために大きな上方スペースを必要とせず、使用場所の制約が少ない。また、スラットシャッター１２は上方開口部１０ａに沿って移動することにより上方開口部１０ａを開閉するものであるから、空気の流れを起こしにくい。そのため、収容したゴミ類の臭気の拡散や塵埃の飛散が生じ難い。
【００３０】
なお、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【産業上の利用可能性】
【００３１】
本発明のゴミ類収容器は、一般家庭ゴミ、オフィスゴミ、医療廃棄物、生ゴミ、汚物若しくはその他の廃棄物等をそのまま収容するものの他、例えば、廃棄書類用のシュレッダーのようにゴミ等の廃棄物に破砕や分解等の処理を施して収容するものについて、踏下部の踏み下げ及び解除と連動する覆蓋部材により上方開口部を開閉するものとしても利用することができる。
【図面の簡単な説明】
【００３２】
【図１】閉口状態の斜視図である。
【図２】閉口状態の破砕斜視図である。
【図３】開口状態の斜視図である。
【図４】開口状態の破砕斜視図である。
【図５】概略機構図である。
【符号の説明】
【００３３】
１０      収容箱
１０ａ    上方開口部
１０ｂ    前方開口部
１２      スラットシャッター
１２ａ    スラット
１４      揺動部材
１４ａ    揺動レバー
１４ｂ    踏下部
１４ｃ    押上部
１６      回動部材
１６ａ    短腕
１６ｂ    長腕
１６ｃ    回転輪
１６ｄ    被押上部
１６ｅ    開閉部
１８      開閉扉
２０      ゴミ類収容部
２０ａ    底板
２４      立板
２６      垂下板
２８      ガイドレール
３０      揺動軸
３２      揺動用開口部
３４      回動軸
３６      引張ばね
Ａ        ゴミ類収容器
【図１】
2008127139.tif 000003
【図２】
2008127139.tif 000004
【図３】
2008127139.tif 000005
【図４】
2008127139.tif 000006
【図５】
2008127139.tif 000007